(57)【要約】【課題】ユーザの使い勝手を向上する。【解決手段】表示制御装置２０２は、情報抽出部４０１、グループ判定部４０２、および、表示制御部４０３を備える、情報抽出部４０１は、入力部３０１に接続されているケーブル毎に、ケーブルより入力される映像データの映像属性情報を前記映像データから抽出するようになっている。グループ判定部４０２は、前記映像属性情報が互いに一致するケーブルの組を纏めたグループを生成する。表示制御部４０３は、前記グループを互いに同一とする各ケーブルから入力される各映像データの各映像を全体映像から分割された各部分映像とし、各部分映像を組み合わせてなる前記全体映像を表示部２０１に表示させる。【選択図】図１
2014192767.tif 000002
【特許請求の範囲】
【請求項１】
複数のケーブルと接続可能になっている入力部と、
前記ケーブルにて伝送される映像データの映像の属性を示す映像属性情報を各ケーブルより取得する取得手段と、
前記映像属性情報が互いに一致するケーブルの組を纏めたグループを生成するグループ生成手段と、
前記グループを互いに同一とする各ケーブルから入力される各映像データの各映像を各部分映像とし、各部分映像を組み合わせてなる全体映像を表示部に表示させる表示制御手段とを備えたことを特徴とする表示制御装置。
【請求項２】
前記映像データはＨＤＭＩ方式に準拠したデータであり、前記映像属性情報は前記映像データに埋め込まれているＡＶＩインフォフレーム情報であることを特徴とする請求項１に記載の表示制御装置。
【請求項３】
前記取得手段は、前記ケーブルにて伝送される映像データの映像の表示と共に出力される音声の属性を示したオーディオインフォフレーム情報を各ケーブルより取得し、
前記グループ生成手段は、オーディオインフォフレーム情報が互いに一致しないケーブル同士を同じグループに纏めないことを特徴とする請求項２に記載の表示制御装置。
【請求項４】
前記映像属性情報は、（ａ）前記全体映像を分割して各部分映像を生成し且つ各部分映像の各映像データを各ケーブルにて前記表示制御装置に伝送するマルチ映像出力機によって、各ケーブルを介して前記表示制御装置に送信される情報であって、（ｂ）前記マルチ映像出力機の識別情報であることを特徴とする請求項１に記載の表示制御装置。
【請求項５】
請求項１から４のいずれか１項に記載の表示制御装置と、前記表示部とを備えたことを特徴とするテレビジョン受像機。
【発明の詳細な説明】
【技術分野】
【０００１】
本発明は、４Ｋ２Ｋ映像等の高解像度の映像を表示する表示装置を制御する表示制御装置に関する。
【背景技術】
【０００２】
従来から、４Ｋ２Ｋ映像を表示可能な表示装置が知られている。ここで、４Ｋ２Ｋ映像を出力可能なマルチ映像出力機（例えばパソコン）から表示装置へ４Ｋ２Ｋ映像を伝送するためには、マルチ映像出力機と表示装置との間を４本のＨＤＭＩ（登録商標）ケーブルで接続し、マルチ映像出力機側にて４Ｋ２Ｋ映像を４つのフルハイビジョン映像（部分映像）に分割し、４つのフルハイビジョン映像を４本のＨＤＭＩケーブルにて表示装置へパラレル伝送する必要がある。
【０００３】
また、前記の表示装置に複数の外部機器が接続されており、当該複数の外部機器のうちの１以上がマルチ映像出力機である場合、接続元のマルチ映像出力機を同一とするケーブル同士を同じグループに纏め（接続元のマルチ映像出力機が異なるケーブル同士を別々のグループに分け）、前記のグループを特定するグループ情報を表示装置側にて記憶させる必要がある。
【０００４】
これは、表示装置側からすれば、前記のグループ情報を有していないと、１画面分の４Ｋ２Ｋ映像を入力するケーブルの組合せを正しく認識することができず、適切な映像表示を行えないという不具合が生じるからである。具体的に説明すると以下の通りである。
【０００５】
例えば、図７に示すように、４Ｋ２Ｋ映像を表示可能な表示装置５０１と、４Ｋ２Ｋ映像を出力するマルチ映像出力機（外部機器）５０２と、フルハイビジョン映像を出力する映像出力機（外部機器）５０３とを備えた表示システム５００があるものとする。
【０００６】
表示装置５０１は、液晶ディスプレイ等の表示部５１２と、マルチ映像出力機５０２または映像出力機５０３から入力される映像を表示部５１２に表示させる表示制御部５１１とを備える。
【０００７】
マルチ映像出力機５０２は、４Ｋ２Ｋ映像を表示制御部５１１に伝送するために、表示制御部５１１との間で４本のＨＤＭＩケーブルａ１〜ａ４にて接続されている。これに対し、映像出力機５０３は、単一のフルハイビジョン映像を伝送するために、表示制御部５１１との間で１本のＨＤＭＩケーブルｂ１にて接続されている。
【０００８】
ここで、表示装置５０１において、前記グループ情報が記憶されている場合、表示制御部５１１は、前記グループ情報を参照することにより、ＨＤＭＩケーブルａ１〜ａ４の集合を一つのグループとして認識し、ＨＤＭＩケーブルａ１〜ａ４についてはグループで１画面分の映像（４Ｋ２Ｋ映像）を入力するものと扱う。また、表示制御部５１１は、グループ化されていないＨＤＭＩケーブルｂ１については、当該ＨＤＭＩケーブルｂ１のみで１画面分の映像（フルハイビジョン映像）を入力するものとして扱う。
【０００９】
これにより、表示制御部５１１は、ユーザからの切替指示（外部入力切替の指示）に応じて、ＨＤＭＩケーブルａ１〜ａ４からなるグループより入力される１画面分の４Ｋ２Ｋ映像（マルチ映像出力機５０２の映像）を表示部５１２に表示させる表示状態と、ＨＤＭＩケーブルｂ１より得られる１画面分の映像（映像出力機５０３の映像）を表示部５１２に表示させている表示状態とを正しく切り替えることが可能になる。
【００１０】
これに対し、表示装置５０１において前記のグループ情報が記憶されていないと、表示制御部５１１は、ＨＤＭＩケーブルａ１〜ａ４の組で１画面に対応する事を認識できないため、適切な映像表示を行えない。例えば、ＨＤＭＩケーブルａ１から入力される映像（４Ｋ２Ｋ映像の一部）のみを表示させてしまったり、ＨＤＭＩケーブルａ２から入力される映像（４Ｋ２Ｋ映像の一部）のみを表示させてしまうといった不具合が生じる。それゆえ、４Ｋ２Ｋ映像を表示可能な表示装置において、接続されている複数の外部機器のうちの１以上がマルチ映像出力機であるような場合、前記のグループ情報を記憶しておく必要がある。
【先行技術文献】
【特許文献】
【００１１】
【特許文献１】特開平１−３０４５９８号公報（平成１年１２月８日公開）
【発明の概要】
【発明が解決しようとする課題】
【００１２】
ところで、従来、４Ｋ２Ｋ映像を表示可能な表示装置では、前記のグループ情報をユーザの手作業による入力にて記憶するようになっている。つまり、ユーザが、同じマルチ映像出力機に繋がっているケーブル同士を同じグループに纏めた上で、当該グループを特定可能なグループ情報を表示装置に入力する操作を行い、表示装置は、前記の入力に応じて前記グループ情報を記憶するようになっている。しかし、このような形態では、表示装置とマルチ映像出力機とを接続または接続解除する度に、ユーザは前記のグループ情報の入力作業を行わなければならず、手間がかかってユーザの使い勝手が良くないという問題を有していた。
【００１３】
本発明は、以上の問題に鑑みてなされたものであり、表示装置のユーザの使い勝手を良くすることを目的とするものである。
【課題を解決するための手段】
【００１４】
上記の課題を解決するために、本発明の一態様に係る表示制御装置は、複数のケーブルと接続可能になっている入力部と、前記ケーブルにて伝送される映像データの映像の属性を示す映像属性情報を各ケーブルより取得する取得手段と、前記映像属性情報が互いに一致するケーブルの組を纏めたグループを生成するグループ生成手段と、前記グループを互いに同一とする各ケーブルから入力される各映像データの各映像を各部分映像とし、各部分映像を組み合わせてなる全体映像を表示部に表示させる表示制御手段とを備えたことを特徴とする。
【発明の効果】
【００１５】
本発明の一態様によれば、映像データの映像の属性を示す映像属性情報を各ケーブルから入力し、この映像属性情報が互いに同一となるケーブルの組み合わせを同じグループとしてグループ化しているため、ユーザによるグループ情報の入力が不要になる。したがって、本発明の一態様においては、ユーザによる前記グループ情報の入力が必要であった従来技術よりもユーザの使い勝手が良くなるという効果を有する。
【図面の簡単な説明】
【００１６】
【図１】本発明の実施形態１に係る表示システムの構成を示すブロック図である。
【図２】図１に示す情報処理部の処理の流れを示したフローチャートである。
【図３】図１に示す記憶部に記憶されるグループ調査テーブルを示す模式図である。
【図４】本発明の実施形態１に係るグループ化処理を説明するための説明図である。
【図５】本発明の実施形態２に係るグループ化処理を説明するための説明図である。
【図６】本発明の実施形態１に係るグループ化処理を説明するための説明図であり、図４とは異なる例を示した図である。
【図７】従来のシステムを説明するためのブロック図である。
【発明を実施するための形態】
【００１７】
〔実施形態１〕
以下、本発明の実施形態１について、図に基づいて以下説明する。図１は、実施形態１に係る表示システム１００の全体構成を示すブロック図である。
【００１８】
図１に示すように、表示システム１００は、４Ｋ２Ｋテレビ１０と、マルチ映像出力機１１と、映像出力機１２〜１５とを備えている。
【００１９】
４Ｋ２Ｋテレビ（テレビジョン受像機）１０は、４Ｋ２Ｋ映像を表示可能なテレビジョン受像機である。なお、４Ｋ２Ｋテレビ１０は、４Ｋ２Ｋ映像以外の映像（単一のフルハイビジョン映像等）も勿論表示可能である。
【００２０】
また、４Ｋ２Ｋテレビ１０は、テレビ放送の映像のみならず、４Ｋ２Ｋテレビ１０の外部入力機器に相当するマルチ映像出力機１１および映像出力機１２〜１５から入力される映像も表示可能である。
【００２１】
映像出力機１２は、４Ｋ２Ｋテレビ１０の入力部３０１（後述する）との間で１本のＨＤＭＩケーブル（以下では単に「ケーブル」と称す場合がある）にて接続されており、前記ケーブルによって全体映像を４Ｋ２Ｋテレビ１０に伝送する外部入力機器である。映像出力機１２によって４Ｋ２Ｋテレビ１０へ伝送される全体映像はフルハイビジョン映像である。
【００２２】
なお、本明細書において、全体映像とは、単一の外部入力機器から出力される１画面分の映像を指す。
【００２３】
映像出力機１３〜１５の夫々については、映像出力機１２と同じ構成であるため、その説明を省略する。
【００２４】
マルチ映像出力機１１は、全体映像を４つの部分映像に分割し、４つの部分映像を４Ｋ２Ｋテレビ１０に伝送する外部入力機器である。ここで、マルチ映像出力機１１によって分割される全体映像は４Ｋ２Ｋ映像であり、分割によって生成される各部分映像はフルハイビジョン映像になる。
【００２５】
つまり、マルチ映像出力機１１と４Ｋ２Ｋテレビ１０の入力部３０１との間は４本のケーブル（ＨＤＭＩケーブル）にて繋がれている。なお、図１では、便宜上、マルチ映像出力機１１と４Ｋ２Ｋテレビ１０（入力部３０１）との間に接続線が１本しか示されていないが、実際には、マルチ映像出力機１１と４Ｋ２Ｋテレビ１０の入力部３０１とは図４に示すように４本のＨＤＭＩケーブルにて接続されている。
【００２６】
そして、マルチ映像出力機１１は、図４に示すように４本のケーブルを介して４つの部分映像を４Ｋ２Ｋテレビ１０の入力部３０１へ伝送する（１本のケーブルで１つの部分映像の映像データを伝送する）。
【００２７】
なお、マルチ映像出力機１１および映像出力機１２〜１４としては、例えば、パーソナルコンピュータ、映像再生装置（ブルーレイディスクプレイヤ等）等が挙げられる。また、映像出力機１２〜１４またはマルチ映像出力機１１と４Ｋ２Ｋテレビ１０の入力部３０１とを繋ぐケーブルはＨＤＭＩケーブルであるため、このケーブルにて伝送される映像データは、勿論、ＨＤＭＩ（High-Definition Multimedia Interface）規格に準拠したものとなる。
【００２８】
つぎに、図１に示す４Ｋ２Ｋテレビ１０について詳細に説明する。４Ｋ２Ｋテレビ１０は、図１に示されるように、表示部２０１および表示制御装置２０２を備える。
【００２９】
表示部２０１は、表示制御装置２０２に表示制御され、４Ｋ２Ｋ映像を表示可能な表示パネルである。なお、表示部２０１は、４Ｋ２Ｋ映像以外の映像（単一のフルハイビジョン映像等）も表示可能である。表示部２０１としては、例えば、液晶表示装置、プラズマ表示装置、ＥＬ（electro-luminescence）ディスプレイが挙げられる。
【００３０】
表示制御装置２０２は、４Ｋ２Ｋテレビ１０の各ハードウェアを制御する制御装置であり、入力部３０１、情報処理部３０２、記憶部３０３を備える。
【００３１】
入力部３０１は、ＨＤＭＩ方式のケーブルが差し込まれる入力端子を複数備えるブロックである。なお、各入力端子は、勿論、ケーブルを着脱可能になっている。本実施形態では、入力部３０１は、少なくとも図４に示す入力端子１〜８を有している。
【００３２】
そして、図４に示すように、マルチ映像出力機１１に繋がれている各ケーブルは、入力端子１、２、３、６に差し込まれており、映像出力機１２に繋がれているケーブルは、入力端子５に差し込まれており、映像出力機１３に繋がれているケーブルは、入力端子８に差し込まれており、映像出力機１４に繋がれているケーブルは、入力端子４に差し込まれており、映像出力機１５に繋がれているケーブルは、入力端子７に差し込まれている。
【００３３】
図１に示す情報処理部３０２は、例えば、ＣＰＵ（Central Processing Unit）を備えるマイクロコンピュータやマイクロプロセッサなどによって実現されるブロックである。情報処理部３０２は、記憶部３０３に記憶されている各種情報および各種制御を実施するためのプログラムを取り出して演算処理や判定処理を行い、これら処理の結果に基づき４Ｋ２Ｋテレビ１０の各ハードウェアに制御信号や情報を送って、４Ｋ２Ｋテレビ１０の各ハードウェアの動作を制御する。また、情報処理部３０２は、必要に応じて各種テーブルを作成して記憶部３０３に保存するようになっている。情報処理部３０２の詳細については後述する。
【００３４】
記憶部３０３は、情報処理部３０２が実行する各種アプリケーションプログラム、ＯＳ（Operating System）プログラム、制御プログラム、これらプログラムを実行するときに読み出す各種データ（設定値、テーブル等）を記憶する記憶領域である。記憶部３０３としては、従来から公知の種々の記憶手段、例えば、リードオンリーメモリ（ＲＯＭ）、ランダムアクセスメモリ（ＲＡＭ）、フラッシュメモリ、ＥＰＲＯＭ（Erasable Programmable ROM）、ＥＥＰＲＯＭ（登録商標）（Electrically EPROM）、ハードディスクドライブ（ＨＤＤ）などを用いることができる。また、情報処理部３０２に取り扱われている各種データや処理中のデータは、記憶部３０３のワーキングメモリに一時的に記憶される。
【００３５】
つぎに、情報処理部３０２について詳細に説明する。情報処理部３０２は、図１に示すように、情報抽出部４０１、グループ判定部４０２、表示制御部４０３を備えている。
【００３６】
情報抽出部（取得手段）４０１は、図４に示される各入力端子１〜８毎に、接続されているケーブルから入力される映像データに埋め込まれているインフォフレーム情報（Info Frame）を抽出する処理を行うブロックである。
【００３７】
インフォフレーム情報は、ＨＤＭＩ方式に準拠した映像データに埋め込まれている情報であり、ＡＶＩインフォフレーム情報（ＡＶＩ Info Frame）と、オーディオインフォフレーム情報（Audio Info Frame）とを含んでいる。
【００３８】
ＡＶＩインフォフレーム情報は、映像データの映像の属性を示す情報であり、解像度、フレームレート、アスペクト比、コンテンツタイプ等の映像の属性を示す。
【００３９】
オーディオインフォフレーム情報は、映像データの映像の表示と共に出力される音声の属性を示す情報であり、音声フォーマットの種類、周波数、ビットレート等を含む情報である。なお、音声フォーマットの種類としては、例えば、ＤＤ（ドルビーデジタル）やＤＴＳ（デジタル・シアター・システムズ）が挙げられる。
【００４０】
グループ判定部（グループ生成手段）４０２は、各入力端子１〜８に接続される各ケーブルのうち、同じマルチ映像出力機に接続されているケーブル同士を同じグループに纏める処理を行うブロックである。グループ判定部４０２は、下記のルールＡおよびルールＢに従ってグループ化を行う。
ルールＡ：伝送されている映像データのオーディオインフォフレーム情報が互いに異なるケーブルの組については、同じグループに属さないものとする。
ルールＢ：伝送されている映像データのＡＶＩインフォフレーム情報が互いに同じケーブルの組については、同じグループに属するものとする。
【００４１】
ここで、ルールＡおよびルールＢに従って形成されるグループは、１画面分の全体映像（４Ｋ２Ｋ）から分割された各部分映像の各映像データを伝送しているケーブルの束であり、同じマルチ映像出力機に接続されているケーブルの集合である。これは、（１）前記部分映像を示す映像データに埋め込まれているＡＶＩインフォフレーム情報は、分割される前の４Ｋ２Ｋ映像の属性を示した情報といえ、（２）前記部分映像を示す映像データに埋め込まれているオーディオインフォフレーム情報は分割される前の４Ｋ２Ｋ映像と共に出力される音声の属性を示した情報といえるからである。
【００４２】
例えば、図４では、入力端子１のケーブルと入力端子２のケーブルと入力端子３のケーブルと入力端子６のケーブルとが同じグループとして扱われている。なお、図４では、オーディオインフォフレーム情報については、説明の便宜上、音声フォーマットの種類（ＤＤ，ＤＴＳ）しか示されていないが、実際には周波数やビットレート等も示されているものとする（図６も同様）。また、図４の「Ａｕｄｉｏ：Ｎｏ」は、オーディオインフォフレーム情報が無い、つまり音声が無いことを示す（図６も同様）。
【００４３】
そして、グループ判定部４０２は、グループ化の処理結果を示したグループ調査テーブルを作成して記憶部３０３に記憶させる。グループ調査テーブルの一例を図３に示す。図３のテーブルは、入力端子Ｘ（Ｘ=１〜８）のケーブルと入力端子Ｙ（Ｙ=２〜８）のケーブルとが同じグループであるとグループ判定部４０２に判定された場合、入力端子Ｘおよび入力端子Ｙに対応する枠に○が示され、入力端子Ｘ（Ｘ=１〜８）のケーブルと入力端子Ｙ（Ｙ=２〜８）のケーブルとが同じグループであるとグループ判定部４０２に判定されなかった場合、入力端子Ｙおよび入力端子Ｘに対応する枠に×が示されるようになっているテーブルである。
【００４４】
なお、図３のテーブルは、グループ判定部４０２による判定が途中である場合のものであり、入力端子２のケーブルと入力端子１のケーブルとが同じグループである事を示す判定結果が示され、他のケーブルの組合せに対する判定がこれから行われようとしている状態のものである。グループ判定部４０２による判定が完了し、図３において全ての組み合わせに対して○若しくは×が示されると、グループ化されているケーブルと、グループ化されているケーブルのうちのどのケーブル同士が同じグループであるかを図３のグループ調査テーブルから認識できる。つまり、グループ判定部４０２の判定により形成された各グループと、各グループに属するケーブルとを認識可能になる。
【００４５】
図１に示す表示制御部（表示制御手段）４０３は、表示部２０１の表示制御を行うブロックである。特に、本実施形態の表示制御部４０３は、ユーザによって切替コマンド（外部入力切替コマンド）が入力された場合、表示部２０１に表示させる映像を切り替えるようになっている。
【００４６】
具体的に、表示制御部４０３は、記憶部３０３に記憶されているグループ調査テーブル（図３）を参照することにより、グループ判定部４０２の判定にて形成されているグループと、各グループに属するケーブルと、グループに属さないケーブルとを判別する。図４に示す例では、表示制御部４０３は、グループＡが形成されている事と、グループＡに属しているケーブルが入力端子１、２、３、６に繋がれている各ケーブルである事と、入力端子４、５、７、８の各ケーブルがグループに属さない事とを判別するようになっている。
【００４７】
そして、表示制御部４０３は、グループに属さないケーブルについてはケーブル単位で１つの全体映像（１画面）を入力するものとして扱い、グループに属するケーブルについてはグループ単位で１つの全体映像を入力するものとして扱う。つまり、表示制御部４０３は、グループに属さないケーブルに関しては、１本のケーブルからの入力映像データによって１つの全体映像を表示部２０１に表示させる。これに対し、表示制御部４０３は、１つのグループに属する各ケーブルから入力される各映像データを全体映像から分割された各部分映像の映像データとして扱い、各部分映像を組み合わせてなる全体映像を表示部２０１に表示させる。
【００４８】
図４に示す例では、表示制御部４０３は、グループＡに属する各ケーブルから入力される各映像データの映像を各部分映像とし、各部分映像をまとめて全体映像を形成する。これに対し、表示制御部４０３は、入力端子４のケーブルから入力される映像データのみで全体映像を形成し、入力端子５の映像データのみで全体映像を形成し、入力端子７の映像データのみで全体映像を形成し、入力端子８の映像データのみで全体映像を形成するようになっている。
【００４９】
そして、表示制御部４０３は、ユーザから切替コマンド（入力切替）を受け付ける度に、表示部２０１に表示させる全体映像を切り替えるようになっている。すなわち、図４に示す例では、表示制御部４０３は、切替コマンドを受け付ける度に、グループＡから得られる全体映像（マルチ映像出力機１１の映像）を表示させる状態と、入力端子４から得られる全体映像（映像出力機１４の映像）を表示させる状態と、入力端子５から得られる全体映像（映像出力機１２の映像）を表示させる状態と、入力端子７から得られる全体映像（映像出力機１５の映像）を表示させる状態と、入力端子８から得られる全体映像（映像出力機１３の映像）を表示させる状態とを切り替えるようになっている。
【００５０】
つぎに、表示制御装置２０２の情報処理部３０２の処理の流れを図２のフローチャートに基づいて説明する。図２のフローチャートでは、情報処理部３０２は、入力端子Ｘのケーブルと入力端子Ｙのケーブルとを比較対象として処理を進めるようになっている。
【００５１】
最初に、情報処理部３０２は、Ｘ=１およびＹ=２を設定する（Ｓ１）。つまり、最初に比較対象となるのは入力端子１のケーブルおよび入力端子２のケーブルである。つぎに、情報処理部３０２は、入力端子Ｘ（入力端子１）のケーブルの映像データからインフォフレーム情報を抽出し（Ｓ２）、さらに入力端子Ｙ（入力端子２）のケーブルの映像データからインフォフレーム情報を抽出する（Ｓ３）。
【００５２】
続いて、情報処理部３０２は、入力端子Ｘのケーブルの映像データのオーディオインフォフレーム情報と、入力端子Ｙのケーブルの映像データのオーディオインフォフレーム情報とを比較する（Ｓ４）。情報処理部３０２は、Ｓ４において両情報が一致していれば処理をＳ５に移行し、Ｓ４において両情報が一致していなければ処理をＳ７に移行させるようになっている。
【００５３】
なお、映像データにはオーディオインフォフレーム情報が埋め込まれていないこともある（図４では、入力端子８に伝送される映像データに「Ａｕｄｉｏ：Ｎｏ」が示されているが、これはオーディオインフォフレームが埋め込まれていない事を示したものである）。そして、Ｓ４において、入力端子Ｘのケーブルの映像データおよび入力端子Ｙのケーブルの映像データの両方にオーディオインフォフレームが埋め込まれている時は前述したように処理を実行すればよいが、入力端子Ｘのケーブルの映像データおよび入力端子Ｙのケーブルの映像データの両方または一方にオーディオインフォフレームが埋め込まれていない場合、処理をＳ５に移行させるようになっている。この理由については後で説明する。
【００５４】
Ｓ５において、情報処理部３０２は、入力端子Ｘのケーブルの映像データのＡＶＩインフォフレーム情報と、入力端子Ｙのケーブルの映像データのＡＶＩインフォフレーム情報とを比較する。情報処理部３０２は、Ｓ５において両情報が一致していれば処理をＳ６に移行し、Ｓ４において両情報が一致していなければ処理をＳ７に移行させるようになっている。
【００５５】
Ｓ６において、情報処理部３０２は、入力端子Ｙのケーブルが入力端子Ｘのケーブルと同じグループであると判定し、図３のグループ調査テーブルにおいて、入力端子Ｘおよび入力端子Ｙに対応する枠に○を記入する。図３の例では、Ｘ＝１およびＹ＝２の場合、入力端子Ｙのケーブルが入力端子Ｘのケーブルと同じグループと判定されていることになる。Ｓ６の後、処理はＳ８に移行する。
【００５６】
これに対し、Ｓ７において、情報処理部３０２は、入力端子Ｙのケーブルが入力端子Ｘのケーブルと同じグループでないと判定し、図３のグループ調査テーブルにおいて、入力端子Ｘおよび入力端子Ｙに対応する枠に×を記入する。Ｓ７の後、処理はＳ８に移行する。
【００５７】
Ｓ８において、情報処理部３０２はＹに１を加算する。続いて、情報処理部３０２は、入力部３０１に接続されているケーブル数（本例では８）とＹとを比較し（Ｓ９）、Ｙがケーブル数を超えていなければ処理をＳ３に移行し（Ｓ９においてＮＯ）、Ｓ３以降の処理を繰り返す。
【００５８】
そして、情報処理部３０２は、Ｙがケーブル数を超えると、処理をＳ１０に移行する（Ｓ９においてＹＥＳ）。Ｓ１０において、情報処理部３０２はＸに１を加算し、Ｓ１１において、情報処理部は、Ｙを、Ｘよりも１だけ大きな値に設定する。
【００５９】
Ｓ１１の後、情報処理部３０２は、入力部３０１に接続されているケーブル数とＸとが同数か否かを判定する（Ｓ１２）。Ｓ１２において、情報処理部３０２は、入力部３０１に接続されているケーブル数とＸとが同数でないと判定した場合（Ｓ１２にてＮＯ）、Ｓ２以降の処理を繰り返す。これに対し、Ｓ１２において、情報処理部３０２は、入力部３０１に接続されているケーブル数とＸとが同数とであると判定した場合（Ｓ１２にてＹＥＳ）、処理を終了する。
【００６０】
以上のフローにより、Ｘ＝１の時において、Ｙ＝２〜８まで順に、Ｓ３〜Ｓ９が実行される（図３の参照符６００を参照）。その後、Ｘ＝２の時において、Ｙ＝３〜８まで順に、Ｓ３〜Ｓ９が実行される（図３の参照符７００を参照）。さらにその後、Ｘ＝３の時において、Ｙ＝４〜８まで順に、Ｓ３〜Ｓ９が実行される（図３の参照符７００を参照）。このような処理がＸ＝７まで繰り返される。
【００６１】
これにより、図３に示されるグループ調査テーブルにおいて、同一グループに属すると判定された入力端子のペアには○が付され、同一グループに属さないと判定された入力端子のペアには×が付されることになる。このようなテーブルによれば、情報処理部３０２は、図２のフローを実行することによって形成された各グループと、各グループに属するケーブルと、グループに属さないケーブルとを判別できるようになる。
【００６２】
また、以上のフローでは、入力端子Ｘのケーブルの映像データおよび入力端子Ｙのケーブルの映像データの両方または一方にオーディオインフォフレームが埋め込まれていない場合、処理をＳ４からＳ５に移行させるようになっているが、その理由は以下の通りである。
音声の無い全体映像から派生された各部分映像の各映像データにはオーディオインフォフレームが埋め込まれていない。また、音声のある全体映像を４分割して部分映像データを生成する場合であっても、音声データおよびオーディオインフォフレーム情報については、全てのケーブルにて伝送する必要はなく、１本のケーブルのみで伝送するような構成であってもよい（残りの３本のケーブルにおいては音声データおよびオーディオインフォフレーム情報を伝送しない）。それゆえ、入力端子Ｘのケーブルの映像データおよび入力端子Ｙのケーブルの映像データの両方または一方にオーディオインフォフレームが埋め込まれていない場合であっても、両映像データは同じ全体映像から派生した分割映像のデータ同士の可能性があるため、Ｓ４からＳ５に移行させているのである。
例えば、図６に示す例は、入力端子１、３、６の各映像データにはオーディオインフォフレーム情報および音声データが無い一方、入力端子２の映像データにはオーディオインフォフレーム情報および音声データが有る場合であるが、入力端子１、２、３、６のＡＶＩインフォフレーム情報が互いに一致しているので、入力端子１、２、３、６の各ケーブルは同じグループ（グループＡ’）に纏められている。
【００６３】
なお、図２のフローは図１の情報処理部３０２によって実行される処理であるが、特にＳ２およびＳ３については情報処理部３０２のうち情報抽出部４０１によって実行され、Ｓ４〜Ｓ７については情報処理部３０２のうちグループ判定部４０２によって実行されるようになっている。
【００６４】
つぎに、図２のフローを終えた後の情報処理部３０２の処理を説明する。情報処理部３０２の表示制御部４０３は、ユーザから切替コマンド（入力切替）を受け付けると、図３に示されるグループ調査テーブルを参照して、表示部２０１に表示させる全体映像の切り替えを行う。
【００６５】
例えば、図４に示す例では、入力端子１、２、３、６の各ケーブルにおいて、ＡＶＩインフォフレーム情報が互いに一致し、且つ、オーディオインフォフレーム情報も互いに一致している。それゆえ、表示制御部４０３は、入力端子１、２、３、６の各ケーブルの組をグループＡとして判別する。これに対し、入力端子４、５、７、８の各ケーブルについては、グループに属さないケーブルと判別する。
そして、表示制御部４０３は、切替コマンドを受け付ける度に、表示部２０１に表示させる全体映像を切り替える。すなわち、表示制御部４０３は、切替コマンドを受け付ける度に、グループＡから得られる全体映像（マルチ映像出力機１１の映像）を表示させる状態と、入力端子４から得られる全体映像（映像出力機１４の映像）を表示させる状態と、入力端子５から得られる全体映像（映像出力機１２の映像）を表示させる状態と、入力端子７から得られる全体映像（映像出力機１５の映像）を表示させる状態と、入力端子８から得られる全体映像（映像出力機１３の映像）を表示させる状態とを切り替える。
【００６６】
以上示したように、本実施形態の表示システム１００によれば、入力される映像データから抽出されるＡＶＩインフォフレーム情報が互いに同一となるケーブルの組み合わせを同じグループとしてグループ化しているため、ユーザによるグループ情報の入力が不要になる。したがって、ユーザによる前記グループ情報の入力が必要であった従来技術よりもユーザの使い勝手が良くなるという効果を有する。
【００６７】
なお、本実施形態では、図２のＳ４においてオーディオインフォフレーム情報の比較判定を行い、オーディオインフォフレーム情報が一致しないケーブル同士については、同じグループに属さないと判定するようになっているが、Ｓ４はなくても構わない。但し、Ｓ５のみならずＳ４を行う方がグループ化の精度をより高くできる。
【００６８】
なお、以上の実施形態では、４Ｋ２Ｋテレビ１０に接続されているマルチ映像出力機１１は１台であったが、２台以上であってもよい。この場合、第１のマルチ映像出力機に繋がれているケーブル組で第１のグループが形成され、第２のマルチ映像出力機に繋がれているケーブル組で第２のグループが形成されることになる（つまり、接続元のマルチ映像出力機を同一とするケーブル同士が同じグループに纏められ、接続元のマルチ映像出力機が異なるケーブル同士は別々のグループに分けられることになる）。
【００６９】
〔実施形態２〕
実施形態１では、グループ判定部４０２は、各入力端子１〜８に接続される各ケーブルのうち、伝送されている映像データのＡＶＩインフォフレーム情報が互いに同じケーブルの組を同じグループとしてグループ化する形態であった。
【００７０】
しかし、以上のような形態に限られるものではなく、図５に示すように、マルチ映像出力機１１Ａ・１１Ｂが、自機のＩＤ（識別情報）を４Ｋ２Ｋテレビ１０へ伝送し、４Ｋ２Ｋテレビ１０が、このＩＤを利用してグループ化を行うようになっていてもよい。
【００７１】
なお、本実施形態では、４Ｋ２Ｋテレビ１０の内部構成は図１と同様であるが、図１のマルチ映像出力機１１および映像出力機１２〜１５が４Ｋ２Ｋテレビ１０に接続されておらず、図５に示すように、４Ｋ２Ｋテレビ１０にはマルチ映像出力機１１Ａ・１１Ｂが接続されている。
【００７２】
図５に示すように、４Ｋ２Ｋテレビ１０の入力部３０１のうち、入力端子１、２、３、６の各々のケーブルはマルチ映像出力機１１Ａに接続され、入力端子４、５、７、８の各
々のケーブルはマルチ映像出力機１１Ｂに接続されている。
【００７３】
本実施形態において、マルチ映像出力機１１Ａは、全体映像を分割して各部分映像を生成し、各部分映像の各映像データを各ケーブルにて入力部３０１に伝送するようになっている。さらに、マルチ映像出力機１１Ａは、各部分映像の各映像データに対してマルチ映像出力機１１ＡのＩＤ（図５では「Ａ」）を埋め込んだ上で、各映像データを各ケーブルにて入力部３０１へ伝送するようになっている。ここで、ＩＤ（識別情報）は、マルチ映像出力機１１Ａにとって固有の情報であればよく、マルチ映像出力機１１Ａのメーカーの番号および製品シリアル番号の組み合わせが挙げられる。
【００７４】
マルチ映像出力機１１Ｂも、マルチ映像出力機１１Ａと同様、全体映像を分割して各部分映像を生成し、各部分映像の各映像データを各ケーブルにて入力部３０１に伝送するようになっている。また、マルチ映像出力機１１Ｂも、部分映像の各映像データに対してマルチ映像出力機１１ＢのＩＤ（図５では「Ｂ」）を埋め込んだ上で、各映像データを各ケーブルにて入力部３０１へ伝送するようになっている。また、マルチ映像出力機１１ＢのＩＤも、マルチ映像出力機１１Ｂにとって固有の情報であればよく、マルチ映像出力機１１Ｂのメーカーの番号および製品シリアル番号の組み合わせが挙げられる。
【００７５】
つぎに、４Ｋ２Ｋテレビ１０の構成について説明する。なお、４Ｋ２Ｋテレビ１０の構成については実施形態１との相違点のみ説明し、同じ点については説明を省略する。
【００７６】
本実施形態では、図１の情報抽出部４０１は、図５に示される各入力端子１〜８毎に、接続されているケーブルから入力される映像データに埋め込まれているＩＤを抽出する処理を行う。
【００７７】
また、本実施形態では、図１のグループ判定部４０２は、各入力端子１〜８に接続される各ケーブルのうち、抽出されるＩＤが下記の条件ｘを満たすケーブルの組を同じグループとしてグループ化する処理を行う。
条件ｘ：ＩＤが互いに一致している。
【００７８】
例えば、図５では、入力端子１のケーブルと入力端子２のケーブルと入力端子３のケーブルと入力端子６のケーブルとは、伝送されている映像データに埋め込まれているＩＤが一致する。それゆえ、入力端子１、２、３、６の各ケーブルは互いに同じグループ（グループａ）として扱われる。また、図５では、入力端子４のケーブルと入力端子５のケーブルと入力端子７のケーブルと入力端子８のケーブルとは、伝送されている映像データに埋め込まれているＩＤが一致する。それゆえ、入力端子４、５、７、８の各ケーブルは互いに同じグループ（グループｂ）として扱われる。
【００７９】
以上示した実施形態によっても、互いに同じ全体映像から派生された各部分映像の各映像データを伝送する各ケーブルの組を高精度にグループ化できるのである。この理由を以下説明する。マルチ映像出力機１１Ａは、同じ全体映像から各部分映像の各映像データを出力し、各部分映像の各映像データを伝送するための４本のケーブルに自機のＩＤを伝送している。つまり、各ケーブルに伝送されているＩＤは、各ケーブルにて伝送される映像データの出力元の装置（マルチ映像出力機１１Ａ）を示す情報であると共に、各ケーブルにて伝送される映像データの属性を示す情報といえる。よって、伝送されているＩＤが一致するケーブルの組は、同じマルチ映像出力機に繋がれており、同じ全体映像から派生された各部分映像の各映像データを伝送する組み合わせである可能性が極めて高い。それゆえ、以上示した実施形態によっても、互いに同じ全体映像から派生された各部分映像の各映像データを伝送する各ケーブルの組を高精度にグループ化できるのである。
【００８０】
なお、以上示した実施形態では、マルチ映像出力機１１Ａ・１１Ｂは、自機のＩＤを映像データに埋め込むことで前記ＩＤを４Ｋ２Ｋテレビ１０に伝送しているが、映像データに埋め込む形態に限定されるものではない。例えば、マルチ映像出力機１１Ａ・１１Ｂは、各ケーブルを介して４Ｋ２Ｋテレビ１０に伝送する通信データのうち、映像データ以外の各種データ（制御データ等）にＩＤを埋め込み、情報抽出部４０１は、前記の各種データからＩＤを抽出するようになっていてもよい。あるいは、マルチ映像出力機１１Ａ・１１Ｂが、各ケーブルを介して自機のＩＤを単独で４Ｋ２Ｋテレビ１０に伝送し、情報抽出部４０１は、当該ＩＤを受信するようになっていてもよい。
【００８１】
〔実施形態３〕
情報処理部３０２は、集積回路（ＩＣチップ）等に形成された論理回路（ハードウェア）によって実現してもよいし、ＣＰＵ（Central Processing Unit）を用いてソフトウェアによって実現してもよい。後者の場合、情報処理部３０２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。
【００８２】
〔まとめ〕
以上示したように、本発明の態様１の表示制御装置は、複数のケーブルと接続可能になっている入力部と、前記ケーブルにて伝送される映像データの映像の属性を示す映像属性情報を各ケーブルより取得する取得手段と、前記映像属性情報が互いに一致するケーブルの組を纏めたグループを生成するグループ生成手段と、前記グループを互いに同一とする各ケーブルから入力される各映像データの各映像を各部分映像とし、各部分映像を組み合わせてなる全体映像を表示部に表示させる表示制御手段とを備えたことを特徴とする。
【００８３】
本発明の態様１によれば、映像データの映像の属性を示す映像属性情報を各ケーブルから入力し、この映像属性情報が互いに同一となるケーブルの組み合わせを同じグループとしてグループ化しているため、ユーザによるグループ情報の入力が不要になる。したがって、本発明の態様１においては、ユーザによる前記グループ情報の入力が必要であった従来技術よりもユーザの使い勝手が良くなるという効果を有する。
【００８４】
また、本発明の態様２の表示制御装置は、態様１の構成に加えて、前記映像データがＨＤＭＩ方式に準拠したデータであり、前記映像属性情報は前記映像データに埋め込まれているＡＶＩインフォフレーム情報であることを特徴とする。
【００８５】
これにより、互いに同じ全体映像から派生された各部分映像の各映像データを伝送する各ケーブルの組を高精度にグループ化できる。なお、ＡＶＩインフォフレーム情報は、映像の解像度、フレームレート、アスペクト比、コンテンツタイプ等を示した情報であり、互いに同じ全体映像から派生された各部分映像を示す各映像データは互いに同じＡＶＩインフォフレーム情報を有している。
【００８６】
また、本発明の態様３の表示制御装置は、態様２の構成に加えて、前記取得手段が、前記ケーブルにて伝送される映像データの映像の表示と共に出力される音声の属性を示したオーディオインフォフレーム情報を各ケーブルより取得し、前記グループ生成手段が、オーディオインフォフレーム情報が互いに一致しないケーブル同士を同じグループに纏めないようになっていることを特徴とする。
【００８７】
これにより、グループ化の処理の精度をより高めることができるというメリットを有する。
【００８８】
さらに、本発明の態様４の表示制御装置は、前記態様１に加えて、前記映像属性情報が、（ａ）前記全体映像を分割して各部分映像を生成し且つ各部分映像の各映像データを各ケーブルにて前記表示制御装置に伝送するマルチ映像出力機によって、各ケーブルを介して前記表示制御装置に送信される情報であって、（ｂ）前記マルチ映像出力機の識別情報であることを特徴とする。
【００８９】
これにより、互いに同じ全体映像から派生された各部分映像の各映像データを伝送する各ケーブルの組を高精度にグループ化できる。なお、前記の識別情報としては、マルチ映像出力機において固有の情報であればよく、例えば、マルチ映像出力機のメーカーの番号および製品シリアル番号の組み合わせがあげられる。
【００９０】
また、本発明の態様５のテレビジョン受像器は、前記態様１〜４の表示制御装置と、前記表示部とを備えたことを特徴とする。
【００９１】
さらに、本発明の各態様に係る表示制御装置は、コンピュータによって実現してもよく、この場合には、コンピュータを上記表示制御装置が備える各手段として動作させることにより上記表示制御装置をコンピュータにて実現させるプログラム、およびそれを記録したコンピュータ読み取り可能な記録媒体も、本発明の範疇に入る。
【００９２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９３】
本発明は、４Ｋ２Ｋ映像等の高解像度の映像を複数のケーブルで外部機器から入力する表示装置に利用できる。
【符号の説明】
【００９４】
１０    ４Ｋ２Ｋテレビ（テレビジョン受像機）
１１Ａ  マルチ映像出力機
１１Ｂ  マルチ映像出力機
１００    表示システム
２０１    表示部
２０２    表示制御装置
３０１    入力部
３０２    情報処理部
４０１    情報抽出部（取得手段）
４０２    グループ判定部（グループ生成手段）
４０３    表示制御部（表示制御手段）
【図１】
2014192767.tif 000003
【図２】
2014192767.tif 000004
【図３】
2014192767.tif 000005
【図４】
2014192767.tif 000006
【図５】
2014192767.tif 000007
【図６】
2014192767.tif 000008
【図７】
2014192767.tif 000009